(57)【要約】【課題】  ＲＯ膜の濃縮水を有効利用することが可能な透過水製造装置を提供する。  【解決手段】  給水用タンク２０と、活性炭フィルタ３４および逆浸透膜フィルタ３６が収納されたフィルタユニット３０と、給水用タンク２０からフィルタユニット３０に水を所定圧力で供給するポンプ４０と、フィルタユニット３０を透過させて得られた透過水を蓄える透過水貯留タンク５０と、透過水貯留タンク５０から透過水を取り出す取水口と、フィルタユニット内の濃縮水を貯留する廃水貯留タンク６０が管路７０により接続され、管路７０には、フィルタユニット内の濃縮水をポンプ４０に循環させるためのバイパス路７２が設けられていることを特徴とする。【選択図】        図１
2007136384.tif 000002
【特許請求の範囲】
【請求項１】
給水用タンクと、逆浸透膜フィルタおよび前処理フィルタが収納されたフィルタユニットと、前記給水用タンクから前記フィルタユニットに水を所定圧力で供給するポンプと、前記フィルタユニットを透過させて得られた透過水を蓄える透過水貯留タンクと、該透過水貯留タンクから透過水を取り出す取水口と、前記フィルタユニット内の濃縮水を貯留する廃水貯留タンクが管路により接続され、
前記管路には、前記フィルタユニット内の濃縮水を前記ポンプに循環させるためのバイパス路が設けられていることを特徴とする透過水製造装置。
【請求項２】
前記バイパス路には流量調整機構が設けられていることを特徴とする請求項１記載の透過水製造装置。
【請求項３】
前記透過水貯留タンクの内部圧力を測定する圧力センサと、
該圧力センサの測定値に基づいて、前記透過水貯留タンクが常に透過水で満たされるように、前記ポンプおよび前記流量調整機構の動作をそれぞれ制御する制御手段を有していることを特徴とする請求項１または２記載の透過水製造装置。
【請求項４】
前記バイパス路には、前記廃水貯留タンクに接続された濃縮水廃棄用流路と、前記流量調整機構による濃縮水の循環流量の増減に応じて前記濃縮水廃棄用流路への濃縮水の流入量を調整する流量調節弁が設けられていることを特徴とする請求項１〜３のうちのいずれか一項記載の透過水製造装置。
【請求項５】
前記前処理フィルタは、繊維状活性炭フィルタと粒状活性炭フィルタとポリプロピレンフィルターの順で配設されたものであることを特徴とする請求項１〜４のうちいずれか一項記載の透過水製造装置。
【請求項６】
前記透過水貯留タンクと前記取水口の間には、後処理用活性炭フィルタが配設されていることを特徴とする請求項１〜５のうちのいずれか一項記載の透過水製造装置。
【請求項７】
前記ポンプの前には、異物混入防止フィルタが配設されていることを特徴とする請求項１〜６のうちいずれか一項記載の透過水製造装置。
【発明の詳細な説明】
【技術分野】
【０００１】
本発明は透過水製造装置に関し、より詳細には、安価で衛生的な透過水を供給することが可能な透過水製造装置に関する。
【背景技術】
【０００２】
不純物を高度に除去した透過水の製造は、水道水をフィルタ材や逆浸透膜に透過させて得る方式のものがあり、透過水製造装置として一般に広く知られている。このように、フィルタ材の一部に逆浸透膜を使用することにより、不純物が非常に少なくなるまで浄化された純水に近い水（以下、透過水という）を得ることができる。透過水のように不純物が非常に少ない水を用いることにより、飲み物や食べ物を美味しく提供することができるとされている。
【０００３】
このような逆浸透膜を用いた透過水製造装置は、高度に不純物の除去が可能になる反面、無駄になってしまう水の量が多くなってしまうと共に、逆浸透膜を通過させる時間が長くなってしまう。具体的には、得ようとする透過水の４倍程度の原水を逆浸透膜に供給しなければならず、すべての原水が逆浸透膜を通過するには数時間を要するのである。このような逆浸透膜の処理能力を補うための改良がなされた透過水製造装置としては、例えば、特許文献１に示すようなものがある。特許文献１記載の逆浸透膜による造水装置は、複数の逆浸透膜装置を用いて透過水を得るものであり、逆浸透膜を通過させる水の温度に応じて流路を切り替えて用いるものである。これにより、必要な量の透過水を得ることができると共に、使用する水の温度にかかわらず一定の透過水を得ることが可能になった。
【特許文献１】特開平６―１５２７０号公報
【発明の開示】
【発明が解決しようとする課題】
【０００４】
引用文献１に示されている逆浸透膜による造水装置においては、複数の逆浸透膜装置を有しているため、造水装置が大型で高価なものになってしまうという課題がある。
また、各逆浸透膜装置においては、逆浸透膜を透過しなかった水は濃縮水として回収された後に処分されている。海水やかん水などの被処理水を逆浸透膜に通過させる場合であれば、引用文献１記載の造水装置のように濃縮水を回収する形態は好ましい形態ではあるといえる。しかしながら一般家庭やオフィス等において逆浸透膜を透過させるための原水は水道水であり、すでに飲用可能なレベルに浄化されている水であるから、逆浸透膜を透過しなかった濃縮水をその都度回収することは経済上好ましくなく、廃棄水の処理が煩雑であるという課題もある。
【０００５】
そこで、本発明は、上水道の水を逆浸透膜に供給する透過水製造装置において、濃縮水をその都度回収して処分するのではなく、濃縮水を有効利用することが可能な透過水製造装置の提供を目的としている。
【課題を解決するための手段】
【０００６】
本発明は、給水用タンクと、逆浸透膜フィルタおよび前処理フィルタが収納されたフィルタユニットと、前記給水用タンクから前記フィルタユニットに水を所定圧力で供給するポンプと、前記フィルタユニットを透過させて得られた透過水を蓄える透過水貯留タンクと、該透過水貯留タンクから透過水を取り出す取水口と、前記フィルタユニット内の濃縮水を貯留する廃水貯留タンクが管路により接続され、前記管路には、前記フィルタユニット内の濃縮水を前記ポンプに循環させるためのバイパス路が設けられていることを特徴とする透過水製造装置である。
【０００７】
また、前記バイパス路には流量調整機構が設けられていることを特徴とする。
これにより、逆浸透膜の状態や上水道の状態に応じてフィルタユニット上流側の管路に循環させる濃縮水の量を適宜変更させることができるため、排水の手間を軽減させると共に、より経済的な透過水の製造が可能になる。
【０００８】
また、前記透過水貯留タンクの内部圧力を測定する圧力スイッチと、該圧力スイッチの測定値に基づいて、前記透過水貯留タンクが常に透過水で満たされるように、前記ポンプおよび前記流量調整機構の動作をそれぞれ制御する制御手段を有していることを特徴とする。
これにより、透過水貯留タンクには、常に透過水で満たされているため、空気との接触を遮断することができ、透過水を好条件で保存することができる。
【０００９】
また、前記バイパス路には、前記廃水貯留タンクに接続された濃縮水廃棄用流路と、前記流量調整機構による濃縮水の循環流量の増減に応じて前記濃縮水廃棄用流路への濃縮水の流入量を調整する流量調節弁が設けられていることを特徴とする。
これにより、濃縮水のリサイクル量を適宜設定することができ、透過水の品質と濃縮水の廃棄のバランスを好適に維持することができる。
【００１０】
また、前記前処理フィルタは、繊維状活性炭フィルタと粒状活性炭フィルタとポリプロピレンフィルタの順で配設されたものであることを特徴とする。
これにより、逆浸透膜に混入する不純物を大幅に削減することができ、逆浸透膜の寿命を大幅にのばすことができる。
【００１１】
また、前記透過水貯留タンクと前記取水口の間には、後処理用活性炭フィルタが配設されていることを特徴とする。
これにより、透過水に付着した逆浸透膜の臭いを取り除くことができるので、無味無臭で使い勝手の良好な透過水を製造することができる。
【００１２】
また、前記ポンプの前には、異物混入防止フィルタが配設されていることを特徴とする。
これにより、ポンプへの異物混入をなくすことができ、ポンプの破損を防ぐことができる。
【発明の効果】
【００１３】
本発明による透過水製造装置によれば、濃縮水のすべてまたは一部をフィルタユニット直後から上流側の管路に循環させることができるので、濃縮水をリサイクルすることができると共に、濃縮水を廃棄する手間を省くことができる。したがって、透過水製造機のメンテナンスが非常に簡便になると共に、透過水を低コストで提供することが可能になる。
【発明を実施するための最良の形態】
【００１４】
以下、添付図面に基づいて本発明の最良の実施の形態を詳細に説明する。図１は、本実施の形態における透過水製造装置の内部構造を示す説明図である。
本実施の形態にかかる透過水製造装置１０は、給水用タンク２０と、活性炭フィルタ３２およびポリプロピレンフィルタ３３からなる前処理用フィルタ３４と、逆浸透膜フィルタ３６が収納されたフィルタユニット３０と、給水用タンク２０から取り出した水をフィルタユニット３０に所定圧力で供給するポンプ４０と、フィルタユニット３０を透過させて得られた透過水を蓄える透過水貯留タンク５０と、フィルタユニット３０内の濃縮水および古くなった透過水を貯留する廃水貯留タンク６０がそれぞれ管路７０により接続された状態で筐体１２に収納されてなる。管路７０には逆止弁８０、電磁弁８２が所要箇所にそれぞれ配設されていて、管路７０を流れる水の流通経路が適宜設定されている。フィルタユニット３０の後端部には、フィルタユニット３０内の濃縮水の一部をポンプ４０に循環させるためのバイパス路７２が設けられている。バイパス路７２には、流量調整機構となる流量調整弁８４が配設されている。また、筐体１２の正面には、透過水貯留タンク５０に貯留されている透過水を取り出す取水口（５６ａ，５８ａ，５９）が設けられている。
【００１５】
給水用タンク２０は完全密閉式の樹脂製タンクであり、筐体１２の上部に横方向に２つ並べた状態で筐体１２に着脱自在に配設されている。給水用タンク２０内の水は自然流下により管路７０に流下し、逆止弁８０ａおよび電磁弁８２ａと異物混入防止フィルタ３８をそれぞれ通過した後ポンプ４０に供給される。なお、電磁弁８２ａは、管路７０内の水が流下している間のみ開き、水の流れがない場合には閉じた状態となるように図示しない制御手段により開閉動作が制御されている。
【００１６】
フィルタユニット３０は、複数種類の活性炭フィルタ３２およびポリプロピレンフィルタ３３と、逆浸透膜よりなる逆浸透膜フィルタ３６を直列に接続することにより構成されている。活性炭フィルタ３２は、活性炭を含む繊維により形成された繊維状活性炭フィルタ３２ａと粒状の活性炭により形成された粒状活性炭フィルタ３２ｂとにより構成されている。このように複数種類の活性炭フィルタ３２ａ，３２ｂに原水を通過させることにより、活性炭による原水の浄化がなされる。また、粒状活性炭フィルタ３２ｂは、繊維状活性炭フィルタを通過した際に混入した繊維物を確実に除去することができるため、後に続くフィルタリングを行う際の各フィルタ（特に逆浸透膜フィルタ３６）のろ過寿命を大幅に延ばすことができるため好都合である。
【００１７】
フィルタユニット３０の外表面には、取水口３０ａと透過水出口３０ｂと、濃縮水出口３０ｃが設けられている。取水口３０ａ、透過水出口３０ｂ、濃縮水出口３０ｃは、それぞれフレキシブルチューブが差し込み可能なプラグ形状に形成されていて、管路７０の中途部にフィルタユニット３０をワンタッチ操作で接続することができるように形成されている。
【００１８】
濃縮水出口３０ｃにはバイパス路７２の一端側が接続されている。なお、バイパス路７２の他端側はポンプ４０の取水口の上流部分の管路７０に接続されている。バイパス路７２の途中には流量調整弁８４が配設されている。流量調整弁８４の開閉動作もまた、図示しない記憶手段に予め組み込まれている制御プログラムに基づいて制御手段により制御されている。
【００１９】
透過水出口３０ｂの下流側には、フィルタユニット３０を通過させることにより得られた透過水を貯留する透過水貯留タンク５０が接続されている。透過水貯留タンク５０は筐体１２の内部空間に固定されている。透過水貯留タンク５０には、圧力スイッチ５２が設けられている。圧力スイッチ５２により計測された透過水貯留タンク５０の内部圧力値は制御手段（図示せず）に送信される。制御手段は、受信した透過水貯留タンク５０の内部圧力の計測値に応じ、図示しない記憶手段に予め組み込まれている制御プログラムに基づいて、ポンプ４０のスイッチのオンオフおよび管路７０の各所に配設されている電磁弁８２の開閉状態を切り替える制御をする。
【００２０】
透過水貯留タンク５０の下流には、後処理用活性炭フィルタ５４と逆止弁８０ｃおよび紫外線照射器５５が配設されている。透過水貯留タンク５０の水は、逆浸透膜フィルタ３６を通過することにより極わずかではあるが逆浸透膜フィルタ３６による樹脂臭がすることがある。そこで、透過水貯留タンク５０からの透過水は後処理用活性炭フィルタ５４により脱臭処理をした後、逆止弁８０ｃを通り殺菌手段である紫外線照射器５５により紫外線が照射されてから温水用タンク５６および冷水用タンク５８に供給される。
【００２１】
温水用タンク５６および冷水用タンク５８にはそれぞれ温水取水口５６ａおよび冷水取水口５８ａと、空気抜弁５６ｂ、５８ｂがそれぞれ取り付けられている。また、紫外線照射器５５と冷水用タンク５８の間には常温水取水口５９ａが設けられている。温水取水口５６ａ、冷水取水口５８ａ、常温水取水口５９ａはそれぞれ電磁弁により構成されている。
温水用タンク５６の外周には電熱ヒータ等の加熱手段５６ｃが配設されている。一方、冷水用タンク５８の外周には冷媒管およびコンプレッサ等の冷却手段５８ｃが配設されている。なお、加熱手段５６ｃおよび冷却手段５８ｃは以上に示した加熱手段５６ｃや冷却手段５８ｃに限定されるものではなく、ペルチェ素子や面状発熱体等の他の手段を適宜選択して用いることもできる。各タンク５６，５８の温度管理は、各タンク５６，５８に設けられたサーミスタＳと制御手段により制御される。
さらに、温水用タンク５６と冷水用タンク５８には、排水口５６ｄ、５８ｄが設けられている。
【００２２】
制御手段は、ポンプ４０および逆止弁８０を動作させて透過水を製造し、温水用タンク５６、冷水用タンク５８、透過水貯留タンク５０を透過水で満水状態にさせる。温水用タンク５６および冷水用タンク５８には空気抜き弁５６ｂ，５８ｂが設けられているので、それぞれのタンク５６，５８に透過水が満たされるまでは、タンク内の圧力が上昇することはない。各タンク内が透過水で満たされると、管路７０に圧力が伝播する。このようにして伝播した圧力は、紫外線照射器５５と温水用タンク５６、冷水用タンク５８の間に配設された圧力スイッチ５２ｂにより検出される。圧力スイッチ５２ｂによる圧力検出信号は、制御手段に送信される。制御手段は、圧力スイッチ５２ｂから送信されてくる圧力検出信号の圧力値が、予め設定されている値に到達すると、ポンプ４０や逆止弁８０の動作を止める制御をおこなう。
【００２３】
また、制御手段は各取水口５６ａ，５８ａ，５９ａを構成する電磁弁の動作履歴を監視しており、所定時間にわたって電磁弁の動作が検出されなかった場合には、制御手段は排水口５６ｄ，５８ｄから所要時間にわたって強制的に温水用タンク５６内の透過水および冷水用タンク５８内の透過水を排出し、下流に接続されている廃水貯留タンク６０に貯留させる。
【００２４】
廃水貯留タンク６０には、フロートスイッチ６２とリミットスイッチ６４が配設されている。廃水貯留タンク６０に貯留された廃水が所定量になるとフロートスイッチ６２が作動し、制御手段に信号を送信する。フロートスイッチ６２からの送信信号を受けた制御手段は、図示しない表示手段によりユーザに廃水を捨てるよう警告を発すると共に、廃水貯留タンク６０への廃水の貯留を停止させる。また、警告を受けるなどしてユーザが廃水貯留タンク６０を取り外すと、リミットスイッチ６４が作動して作動信号が制御手段に送信される。この作動信号を受けた制御手段は表示手段により警告を発すると共に、廃水貯留タンク６０への廃水の貯留を停止させる。
【００２５】
また、筐体１２の内底部は漏斗状に形成されていて漏斗状部分の内底部には漏水検出センサ１４が配設されている。漏水検出センサ１４が漏水を検出すると漏水検出信号が制御手段に送信され、漏水検出信号を受けた制御手段は表示手段により警告を発すると共に、透過水製造装置１０の動作を緊急停止させる。
【００２６】
本実施の形態における透過水製造装置１０は以上に説明した構成を有している。以下には、本実施の形態における透過水製造装置１０による水の処理手順について詳細に説明する。
給水タンク２０の水は、制御手段による逆止弁８０の開閉動作制御によりポンプ４０に自然流下により供給される。ポンプ４０に供給された水は２００〜３００ＫＰａ程度に加圧されて、フィルタユニット３０に送水される。加圧された水は、繊維状活性炭フィルタ３２ａと粒状活性炭フィルタ３２ｂにより、水垢やゴミ等の大まかな不純物がろ過される。続いてポリプロピレンフィルタ３３により事前のろ過処理を行った後、逆浸透膜フィルタ３６によりろ過処理される。逆浸透膜フィルタ３６は、０．０００１ミクロンの微細孔を有するフィルタ材であり、ウイルス（０．０２〜０．０４ミクロン程度の大きさ）や細菌（０．４ミクロン〜１ミクロン程度の大きさ）を捕集することができる。逆浸透膜フィルタ３６に供給された水は分子レベルでろ過処理されることになる。なお、先述のとおり、フィルタユニット３０に供給される水は２００〜３００ＫＰａ程度に加圧された状態であるので、透過速度が低い逆浸透膜フィルタ３６であっても必要とする透過水を短時間に得ることができる。
【００２７】
このようにして得られた透過水は、フィルタユニット３０の透過水出口３０ｂから透過水貯留タンク５０と温水用タンク５６および冷水用タンク５８に送水される。透過水は逆止弁８０ａを通過した後、逆浸透膜フィルタ３６により付着した樹脂臭を除去する後処理用活性炭フィルタ５４および紫外線照射器５５を通過させた後に、温水用タンク５６または冷水用タンク５８に貯留される。温水用タンク５６および冷水用タンク５８には空気抜き弁５６ｂ、５８ｂが配設されているので、温水用タンク５６と冷水用タンク５８が満水状態になるまで透過水が供給される。温水用タンク５６と冷水用タンク５８が満水になると、温水用タンク５６および冷水用タンク５８は平衡状態になるため透過水の貯留が滞り、透過水貯留タンク５０に透過水が貯留されることになる。
【００２８】
先述のとおり、透過水貯留タンク５０本体および透過水貯留タンク５０と温水用タンク５６と冷水用タンク５８の間の管路７０には、圧力スイッチ５２ａ，５２ｂが設けられている。圧力スイッチ５２により計測された各位置における圧力信号は、ＣＰＵ等の制御手段に送信される。制御手段は、送信された圧力信号と、制御プログラムに基づいて透過水貯留タンク５０と温水用タンク５６および冷水用タンク５８の内部圧力が所要の圧力になるまで、ポンプ４０への動力の供給と各逆止弁８０、電磁弁８２、流量調整弁８４の開閉動作をそれぞれ制御し、連続的に透過水を生成させる。
【００２９】
このように、温水用タンク５６および冷水用タンク５８と透過水貯留タンク５０はポンプ４０により加圧された状態にある。したがって、ユーザが取水口５６ａ、５８ａ、５９から透過水を取り出すと温水用タンク５６と冷水用タンク５８の内圧が下がるため、透過水貯留タンク５０から温水用タンク５６または冷水用タンク５８に自動的に透過水が供給される。これと同時に透過水貯留タンク５０の内部圧力低下が圧力スイッチ５２により計測され、計測信号が制御手段に送信される。制御手段は計測信号に基づいてポンプ４０を作動させると共に、各逆止弁８０、電磁弁８２を開いて透過水を透過水貯留タンク５０に供給させる。透過水貯留タンク５０が満水になると、制御手段がポンプ４０および電磁弁８２の動作を停止し、透過水の製造を停止する。
【００３０】
温水用タンク５６と冷水用タンク５８は取水口５６ｄ，５８ｄを介して廃水貯留タンク６０に接続されている。温水用タンク５６と冷水用タンク５８に貯留されている透過水は、所定時間放置された状態になると、制御手段が取水口５６ｄ，５８ｄから強制的に内部の透過水を排出し、廃水貯留タンク６０に古くなった透過水を廃棄する。
廃水貯留タンク６０のフロートスイッチ６２により、廃水貯留タンク６０の水量が満水もしくは、満水に近い状態であることが検知されると、制御手段に満水信号が送信される。制御手段は満水信号を受信すると、図示しない表示部または表示部および音声出力部からユーザに対して満水の警告をする。表示部または表示部および音声出力部から満水の警告がなされたら、ユーザは廃水貯留タンク６０を取り外し、貯留されている廃棄水を適宜処理するのである。なお、廃水貯留タンク６０が取り外されると、廃水貯留タンク６０の下部に配設されているリミットスイッチ６４が作動し、透過水製造装置１０の運転を一時停止させる。なお、警告を発しても廃水貯留タンク６０が取り外されない場合にも、制御手段１０は透過水製造装置１０の運転を一時停止させる。
【００３１】
次に、フィルタユニット３０に貯留した濃縮水について説明する。フィルタユニット３０には、透過性が低い逆浸透膜フィルタ３６が内蔵されている。逆浸透膜フィルタ３６は、供給された原水のうち４分の１の水を透過水として通過させる。すなわち、供給された水のうち４分の３が逆浸透膜フィルタ３６の内部にとどまっていることになる。このように逆浸透膜フィルタ３６の内部にとどまっている水を一般的には、濃縮水と呼んでいる。このような濃縮水は基本的に廃水として処理されることが多い。
【００３２】
しかしながら、本実施の形態にかかる透過水製造装置１０における濃縮水は、すでに複数個の活性炭フィルタ３２やポリプロピレンフィルタ３３を透過されたものであり、十分に浄化処理されている。このように浄化されている水を排水するのは無駄であるため、逆浸透膜フィルタ３６に留まっている濃縮水を有効利用することを可能とする構成を有している。
具体的には、濃縮水取出口３０ｃとポンプ４０の取水口より上流側の管路７０に連結したパイパス路７２を有し、逆浸透膜フィルタ３６に溜まっている濃縮水をフィルタユニット３０に循環可能にしている。なお、バイパス路７２の中途部分には、濃縮水の流量を調整する流量調整弁８４が配設されている。
【００３３】
逆浸透膜フィルタ３６の部分に留まっている濃縮水は、給水タンク２０からの未処理水と混合された後、ポンプ４０により所定の圧力が加えられた状態で再びフィルタユニット３０に供給されることになる。
このように、給水タンク２０からの未処理水に濃縮水を混合させてフィルタユニット３０へ供給しているので、フィルタユニット３０内の活性炭フィルタ３２、ポリプロピレンフィルタ３３へ与える負担を軽減させることができる。
【００３４】
流量調整弁８４による濃縮水の流量調整は、制御手段が図示しない記憶手段に記憶されている制御プログラムに基づいて制御されている。制御プログラムは、逆浸透膜フィルタ３６の洗浄処理や、廃水貯留タンク６０の貯留率の他、一日における透過水の使用量に応じて適宜設定することができ、カスタマイズすることももちろん可能である。
また、制御手段によりユーザに対する満水表示がなされても、廃水貯留タンク６０の濃縮水が処理されない場合には、制御手段は、自動的にフィルタユニット３０内のすべての水をバイパス路７２に流入させるように流量調整弁８４を制御することも可能である。
【００３５】
さらに、フィルタユニット３０を交換する際には、制御手段によりすべての逆止弁８０および流量調整弁８４のすべてを開放または閉塞することが可能に設定されている。なお、管路７０の一端部を廃水貯留タンク６０に連結しておけば、逆止弁８０および流量調整弁８４を開放した場合、管路７０中にある水をすべて廃水貯留タンク６０に流入させることができるため、フィルタユニット３０の交換を容易に行うことができる。
また、後処理用活性炭フィルタ５４の下流には逆止弁８０ｃおよび紫外線照射器５５が配設されているので、フィルタユニット３０の交換時に管路７０の一部が空気と接触しても、雑菌が管路７０に侵入することを防止しているので衛生的な使用ができる。
【００３６】
以上に、本実施の形態における透過水製造装置１０について詳細に説明してきたが、本発明の透過水製造装置１０は以上に説明した実施の形態に限定されるものではなく、他の形態における透過水製造装置にも本発明が適用可能であることはもちろんである。
例えば、本実施の形態においては、フィルタユニット３０内にポリプロピレンフィルタ３３を用いているが、ポリプロピレンフィルタ３３と同等以上のろ過処理が可能であれば他の樹脂性フィルタを用いることはもちろん可能である。また、管路７０内には各所に逆止弁８０、電磁弁８２、流量調整弁８４が配設されているが、これらを制御手段により開閉動作が制御可能な流量調整弁８４に置き換えることも可能である。
【００３７】
また、以上の実施の形態においては、廃水貯留タンク６０を筐体１２に対して着脱自在にして濃縮水を処理する形態となっているが、廃水貯留タンク６０に貯留された濃縮水は排水ドレン(図示せず)から排出する形態とすることもできる。この場合、リミットスイッチ６４は不要になるのはもちろんである。
また、流量調整弁８４（流量調整機構）を流量分配が可能な分岐弁構造とし、一方の分岐先をポンプ４０の上流側に接続し、他方の分岐先を廃棄水貯留タンク６０に接続して、濃縮水廃棄用流路を形成すれば、フィルタユニット３０を循環させる濃縮水の状態に合わせて適切な濃縮水の取り扱いを行うことが可能になるため好適である。
さらには、透過水製造装置１０を水道に直結する形態であっても良い。この場合、給水タンク２０の配設を省略することが可能である他に、廃水貯留タンク６０の配設も省略することもできるため好都合である。
【図面の簡単な説明】
【００３８】
【図１】本実施の形態における透過水製造装置の内部構造を示す説明図である。
【符号の説明】
【００３９】
１０  透過水製造装置
１２  筐体
１４  漏水検出センサ
２０  給水タンク
３０  フィルタユニット
３２  活性炭フィルタ
３３  ポリプロピレンフィルタ
３４  前処理用フィルタ
３６  逆浸透膜フィルタ
４０  ポンプ
５０  透過水貯留タンク
５２  圧力スイッチ
５４  後処理用活性炭フィルタ
５５  紫外線照射器
５６  温水用タンク
５８  冷水用タンク
６０  廃水貯留タンク
７０  管路
７２  バイパス路
８０  逆止弁
８２  電磁弁
８４  流量調整弁
【図１】
2007136384.tif 000003